(57)【要約】【課題】機密文書に重ね印刷するマスク画像のデータをユーザの手を煩わせることなく容易に生成する。【解決手段】機密文書ＳＤの印刷面ＰＳに印刷された文章Ｓの画像を、機密文書ＳＤの搬送経路上で取得し、取得した画像を複数の単位領域に分割して、各単位領域毎に求めた文章Ｓのテキストの線幅のうち最も分布数が多い線幅を、その単位領域におけるテキストの線幅とする。そして、テキストの線幅に応じて基本マスクパターンを変倍して各単位領域のマスクパターンを決定し、決定したマスクパターンを印刷面ＰＳにおける各単位領域のテキストの位置に配置した画像のデータを、印刷面ＰＳの文章Ｓのテキストに重ね印刷して文章Ｓを隠蔽するマスク画像ＭＩ２，ＭＩ３，ＭＩ８のデータとして生成する。【選択図】図１４
2017183781.tif 000002
【特許請求の範囲】
【請求項１】
機密文書の印刷面に機密とする画像として印刷された機密線画像に印刷部において重ね印刷し該機密線画像を隠蔽するマスク画像のデータを生成する装置であって、
前記機密文書の前記印刷面から前記機密線画像を光学的に読み取る画像読取手段と、
前記画像読取手段が読み取った機密線画像の線幅を検出する線幅検出手段と、
前記線幅検出手段が検出した機密線画像の線幅に基づいて、前記機密線画像を隠蔽するためのマスクパターンを生成するパターン生成手段と、
前記パターン生成手段が生成したマスクパターンを前記印刷面における前記機密線画像の位置に配置した画像のデータを、前記マスク画像のデータとして生成するマスク画像データ生成手段と、
を備える画像データ生成装置。
【請求項２】
前記パターン生成手段は、基準となる線幅の前記機密線画像の隠蔽に適用する基本マスクパターンを、前記線幅検出手段が検出した機密線画像の線幅に応じた倍率で変倍することにより、前記機密線画像に対応するマスクパターンを生成する請求項１記載の画像データ生成装置。
【請求項３】
前記線幅検出手段は、
前記画像読取手段が読み取った機密線画像を複数の領域に分割する画像分割手段と、
前記画像分割手段が分割した機密線画像の各領域毎のデータから、各領域毎の前記機密線画像の線幅をそれぞれ検出する領域別線幅検出手段と、
を備えており、
前記パターン生成手段は、前記領域別線幅検出手段が各領域毎に検出した前記機密線画像の線幅から、前記機密線画像に対応するマスクパターンを各領域毎にそれぞれ生成し、
前記マスク画像データ生成手段は、前記パターン生成手段が各領域毎に生成したマスクパターンを前記印刷面上の各領域に対応する位置にそれぞれ配置した画像のデータを、前記マスク画像のデータとして生成する、
請求項１又は２記載の画像データ生成装置。
【請求項４】
前記画像読取手段が読み取った機密線画像のデータから、前記機密線画像の画像色を判別する色判別手段をさらに備え、前記マスク画像データ生成手段は、前記色判別手段が判別した画像色との色相、明度、彩度のうち、少なくとも色相の差が所定範囲内で前記機密線画像を隠蔽可能な同系色の前記マスクパターンを有する前記マスク画像のデータを生成する請求項１、２又は３記載の画像データ生成装置。
【請求項５】
印刷部において用紙の印刷面に画像を形成する画像形成装置において、
請求項１、２、３又は４記載の画像データ生成装置を備えており、
前記用紙として給紙される機密文書の印刷面に機密とする画像として印刷された機密線画像に、該機密線画像を隠蔽する前記マスク画像を、前記画像データ生成装置が生成した前記マスク画像のデータを用いて前記印刷部により重ね印刷する、
画像形成装置。
【発明の詳細な説明】
【技術分野】
【０００１】
本発明は、画像隠蔽用のマスク画像を印刷物に重ね印刷する技術に関する。
【背景技術】
【０００２】
印刷物に印刷された画像が機密性を有するものである場合、例えばその印刷物を廃棄する際には、画像が第三者により認識されないような処置を施す必要がある。印刷物を細かく断裁するのもその一つであるが、画像隠蔽用のマスク画像を印刷物に重ね印刷して機密性を保持することもよく行われる。
【０００３】
特に、宛名等の個人情報が記載された郵便物を廃棄する際に適した提案として、例えば、一律な大きさの文字や大小様々な大きさの文字を密集して配置したマスク画像を押印できるスタンプ装置や（例えば、特許文献１）、郵便物の宛名の記載部分上をなぞるように移動させることで、設定内容に応じたフォントや印字サイズ、言語等による任意の住所や氏名等を、マスク画像として宛名の上に重ね印刷する装置（例えば、特許文献２）が提案されている。
【先行技術文献】
【特許文献】
【０００４】
【特許文献１】特開２００９−２５５５１５号公報
【特許文献２】特許第５３３９１５７号公報
【発明の概要】
【発明が解決しようとする課題】
【０００５】
しかし、上述した従来の提案はいずれも、ユーザが装置を操作しながら印刷物の一つ一つにマスク画像を押印又は印刷するものであり、例えば大量に廃棄する機密文書にマスク画像を重ね印刷する際に役立つようなものではない。特に、マスク画像を押印するスタンプ装置ではマスク画像が固定化されることから、機密文書の機密画像に重ねて押印することで隠蔽できる機密画像の内容に制約が生じてしまう。
【０００６】
その点、郵便物の宛名の記載部分上をなぞってマスク画像を宛名の上に重ね印刷する装置の提案は、マスク画像とする任意の住所や氏名の内容や印字サイズ、使用するフォントや言語等を設定により変えることができるので、機密文書の機密画像に重ね印刷することで様々な内容の機密画像をマスク画像により隠蔽することができる。
【０００７】
但し、マスク画像として重ね印刷する任意の住所や氏名の内容や印字サイズ、使用するフォントや言語等をユーザが設定する必要があるので、大量の機密文書にマスク画像を重ね印刷する際には、マスク画像の設定に膨大な手間がかかってしまう。
【０００８】
本発明は前記事情に鑑みなされたものであり、本発明の目的は、機密文書に重ね印刷するマスク画像のデータをユーザの手を煩わせることなく容易に生成することができる画像データ生成装置と、この画像データ生成装置を用いて好適な画像形成装置とを提供することにある。
【課題を解決するための手段】
【０００９】
上記目的を達成するために本発明の第１の態様による画像データ生成装置は、
機密文書（例えば、図５の機密文書ＳＤ）の印刷面（例えば、図５の印刷面ＰＳ）に機密とする画像として印刷された機密線画像（例えば、図５の複数行のテキストの文章Ｓ）に印刷部（例えば、図２の印刷部４）において重ね印刷し該機密線画像を隠蔽するマスク画像（例えば、図９のマスク画像ＭＩ）のデータを生成する装置であって、
前記機密文書の前記印刷面から前記機密線画像を光学的に読み取る画像読取手段（例えば、図２の給紙読取部６）と、
前記画像読取手段が読み取った機密線画像の線幅を検出する線幅検出手段（例えば、図１のコントローラ９、図１１のステップＳ７３）と、
前記線幅検出手段が検出した機密線画像の線幅に基づいて、前記機密線画像を隠蔽するためのマスクパターン（例えば、図９のマスクパターンＭＰ）を生成するパターン生成手段（例えば、図１のコントローラ９、図１１のステップＳ７５）と、
前記パターン生成手段が生成したマスクパターンを前記印刷面における前記機密線画像の位置に配置した画像のデータを、前記マスク画像のデータとして生成するマスク画像データ生成手段（例えば、図１のコントローラ９、図１１のステップＳ７７）と、
を備える。
【００１０】
また、本発明の第２の態様による画像データ生成装置は、本発明の第１の態様による画像データ生成装置において、前記パターン生成手段は、基準となる線幅の前記機密線画像の隠蔽に適用する基本マスクパターン（例えば、図９の基本パターンＢＰ）を、前記線幅検出手段が検出した機密線画像の線幅に応じた倍率で変倍する（例えば、図９の基本パターンＢＰの拡大によりマスクパターンＭＰとする）ことにより、前記機密線画像に対応するマスクパターンを生成する。
【００１１】
さらに、本発明の第３の態様による画像データ生成装置は、本発明の第１又は第２の態様による画像データ生成装置において、
前記線幅検出手段は、
前記画像読取手段が読み取った機密線画像を複数の領域に分割する画像分割手段（例えば、図１のコントローラ９、図１１のステップＳ７１）と、
前記画像分割手段が分割した前記機密線画像の各領域毎のデータから、各領域毎の前記機密線画像の線幅をそれぞれ検出する領域別線幅検出手段（例えば、図１のコントローラ９、図１１のステップＳ７３）と、
を備えており、
前記パターン生成手段は、前記領域別線幅検出手段が各領域毎に検出した前記機密線画像の線幅から、前記機密線画像に対応するマスクパターンを各領域毎にそれぞれ生成し、
前記マスク画像データ生成手段は、前記パターン生成手段が各領域毎に生成したマスクパターンを前記印刷面上の各領域に対応する位置にそれぞれ配置した画像のデータを、前記マスク画像のデータとして生成する。
【００１２】
また、本発明の第４の態様による画像データ生成装置は、本発明の第１、第２又は第３の態様による画像データ生成装置において、前記画像読取手段が読み取った機密線画像のデータから、前記機密線画像の画像色を判別する色判別手段（例えば、図１のコントローラ９、図１１のステップＳ７３）をさらに備え、前記マスク画像データ生成手段は、前記色判別手段が判別した画像色との色相、明度、彩度のうち、少なくとも色相の差が所定範囲内で前記機密線画像を隠蔽可能な同系色の前記マスクパターンを有する前記マスク画像のデータを生成する。
【００１３】
なお、本発明の第１、第２、第３又は第４の態様による画像データ生成装置において、画像読取手段が前記機密文書の搬送経路上に配置されたものである場合、前記搬送経路は、給紙トレイ（例えば、図２の外部給紙台１１、内部給紙台１３）から前記印刷部に用紙を搬送する画像形成装置（例えば、図２のインクジェット記録装置１）の用紙搬送経路（例えば、図２の搬送経路Ｒ）であり、前記画像読取手段は、前記用紙搬送経路の用紙搬送方向における前記印刷部の上流側（例えば、図２の搬送経路Ｒでの用紙Ｐの搬送方向におけるレジストローラ１６よりも下流側でかつ印刷部４の上流側）に配置された前記画像形成装置の用紙検出手段（例えば、図２の給紙読取部６）であるものとすることができる。
【００１４】
また、上記目的を達成するために本発明の第５の態様による画像形成装置は、
印刷部において用紙の印刷面に画像を形成する画像形成装置において、
請求項１、２、３又は４記載の画像データ生成装置を備えており、
前記用紙として給紙される機密文書の印刷面に機密とする画像として印刷された機密線画像に、該機密線画像を隠蔽する前記マスク画像を、前記画像データ生成装置が生成した前記マスク画像のデータを用いて前記印刷部により重ね印刷する。
【発明の効果】
【００１５】
本発明によれば、機密線画像に重ね印刷するマスク画像のデータをユーザの手を煩わせることなく容易に生成することができる。
【００１６】
即ち、本発明の第１の態様による画像データ生成装置によれば、機密文書の印刷面に印刷された機密線画像が搬送経路上の画像読取手段により光学的に読み取られる。そして、読み取られた機密線画像のデータから検出された機密線画像の線幅から、機密線画像に対応するマスクパターンが生成され、生成されたマスクパターンを機密文書の印刷面における機密線画像の位置に配置したマスク画像のデータが、マスク画像生成手段によって生成される。
【００１７】
このため、機密文書の機密線画像に重ね印刷して機密線画像を隠蔽するマスク画像のデータを、ユーザの手を煩わせることなく容易に生成することができる。
【００１８】
また、本発明の第２の態様による画像データ生成装置によれば、本発明の第１の態様による画像データ生成装置において、基準となる線幅の機密線画像の隠蔽に適用する基本マスクパターンを、機密文書から読み取られた機密線画像の線幅に応じた倍率で変倍することで、その機密線画像に対応するマスクパターンが生成される。
【００１９】
このため、機密線画像を隠蔽するのに適したマスク画像のマスクパターンを、機密線画像の内容に応じて一から決定するよりも容易に生成することができる。
【００２０】
さらに、本発明の第３の態様による画像データ生成装置によれば、本発明の第１又は第２の態様による画像データ生成装置において、画像分割手段が分割した機密線画像の複数の領域毎に、各領域毎の機密線画像の線幅が領域別線幅検出手段により検出される。
【００２１】
そして、各領域毎に検出された機密線画像の線幅から、機密線画像に対応するマスクパターンが各領域毎にパターン生成手段によって生成され、各領域毎のマスクパターンを印刷面の各領域の機密線画像の位置にそれぞれ配置したマスク画像のデータが、マスク画像生成手段によって生成される。
【００２２】
このため、機密線画像の各領域毎にその領域の機密線画像に重ね印刷して機密線画像を隠蔽するのに適したマスクパターンを配置したマスク画像のデータを、ユーザの手を煩わせることなく容易に生成することができる。
【００２３】
また、本発明の第４の態様による画像データ生成装置によれば、本発明の第１、第２又は第３の態様による画像データ生成装置において、機密文書から読み取られた機密線画像の画像色が色判別手段により判別され、判別された画像色との色相、明度、彩度のうち、少なくとも色相の差が所定範囲内で機密線画像を隠蔽可能な同系色のマスクパターンを有するマスク画像のデータがマスク画像生成手段によって生成される。
【００２４】
このため、機密線画像を隠蔽するのに適した色のマスク画像を、機密線画像の画像色に応じて容易に決定することができる。
【００２５】
なお、本発明の第３の態様による画像データ生成装置において、画像分割手段が分割した機密線画像の複数の領域毎に、各領域毎の機密線画像の画像色を色判別手段によりそれぞれ判別し、各領域毎にその領域の機密線画像の画像色と同系統の色とした前記マスク画像のデータを、マスク画像データ生成手段により生成するようにしてもよい。
【００２６】
また、本発明の第１、第２、第３又は第４の態様による画像データ生成装置において、画像読取手段が機密文書の搬送経路上に配置されたものである場合は、画像形成装置の給紙トレイから印刷部に用紙を搬送する用紙搬送経路上の用紙搬送方向における印刷部の上流側に配置した用紙検出手段を利用して、機密文書の機密線画像に重ね印刷して機密線画像を隠蔽するマスク画像のデータを、ユーザの手を煩わせることなく容易に生成することができる。
【００２７】
なお、本発明の第１、第２、第３又は第４の態様による画像データ生成装置の作用、効果は、本発明の第５の態様による画像形成装置のように、印刷部において用紙の印刷面に画像を形成する画像形成装置において、本発明の第１、第２、第３又は第４の態様による画像データ生成装置を備えている構成とすることで、より顕著に得ることができる。
【図面の簡単な説明】
【００２８】
【図１】本発明の一実施形態に係るインクジェット記録装置の概略構成を示すブロック図である。
【図２】図１のインクジェット記録装置の要部の概略構成を示す説明図である。
【図３】図１のディスプレイにユーザインターフェイスとして表示されるモード選択画面を示す説明図である。
【図４】図３のモード選択画面でプリンタモードを選択するとディスプレイに表示されるプリンタメニュー画面を示す説明図である。
【図５】図４のプリンタメニュー画面で選択できる機密文書マスクメニューの実効によりマスク印刷される機密文書の一例を示す説明図である。
【図６】図５の機密文書の画像を単位領域に分割する処理の手順を示す説明図である。
【図７】（ａ）、（ｂ）は図６の手順の処理で分割した単位領域に存在するテキストの線幅を検出する手順を示す説明図である。
【図８】図７（ａ）、（ｂ）の手順の処理で検出した機密文書の各単位領域におけるテキストの線幅を示す説明図である。
【図９】図５の機密文書の画像をマスクするために重ね印刷されるマスク画像の基本パターンと各線幅に対応するパターンとを示す説明図である。
【図１０】図１のコントローラがＲＯＭに格納されたプログラムにしたがって行う機密文書マスクメニューによる機密文書の画像に対するマスク画像の重ね印刷の処理手順を示すフローチャートである。
【図１１】図１０のマスク画像生成処理の詳細な手順を示すフローチャートである。
【図１２】図７（ａ）、（ｂ）の手順の処理で検出した機密文書の各単位領域にその単位領域のテキストの線幅に対応するパターンのマスク画像を重ね印刷した状態を示す説明図である。
【図１３】図７（ａ）、（ｂ）の手順の処理で検出した機密文書の各単位領域におけるテキストのインク色毎の線幅を示す説明図である。
【図１４】図７（ａ）、（ｂ）の手順の処理で検出した機密文書の各単位領域にその単位領域のテキストのインク色毎の線幅に対応するパターンのマスク画像を重ね印刷した状態を示す説明図である。
【発明を実施するための形態】
【００２９】
以下、本発明の実施の形態について、図面を参照して説明する。各図面を通じて同一もしくは同等の部位や構成要素には、同一もしくは同等の符号を付している。
【００３０】
以下に示す実施の形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００３１】
以下、本発明の実施形態について図面を参照しながら説明する。図１は、本発明の一実施形態に係るインクジェット記録装置の要部の概略構成を示すブロック図である。なお、図１に示すインクジェット記録装置は、インクジェット方式のラインカラープリンタであるものとする。
【００３２】
そして、本実施形態のインクジェット記録装置１は、スキャナ部２、給紙部３、印刷部４、給紙読取部６、ディスプレイ７及びコントローラ９を備えている。
【００３３】
スキャナ部２は、読取部の原稿載置領域に載置された原稿から画像を読み取り画像データを生成するものである。このスキャナ部２は、詳細な構成の図示を省略するが、ＣＣＤ等の受光素子をライン上に並べた原稿画像読取用のラインセンサ、原稿照明用の光源、ラインセンサ及び光源を搭載したキャリッジ、キャリッジを原稿面に沿って搬送するモータ、読取部の原稿載置領域に原稿を自動的に供給するＡＤＦ（自動原稿送り装置）等を備えている。
【００３４】
スキャナ部２における原稿画像の読み取りは、ＡＤＦを用いて原稿を読取部の原稿載置領域に自動供給する自動原稿読取モードで行うこともでき、ユーザーが読取部の原稿載置領域に原稿を１ページずつ載置する手動原稿読取モードで行うこともできる。
【００３５】
給紙部３は、印刷に用いる用紙Ｐ（図２参照）を印刷部４に給紙するものである。図２は、給紙部３を含むインクジェット記録装置１の要部の概略構成を示す説明図である。
【００３６】
なお、図２を参照した以下の説明において、図２の紙面に直交する方向を前後方向とし、紙面表方向を前方とする。また、図２における紙面の上下左右を上下左右方向とする。また、図２において太線で示す経路が、印刷媒体である用紙Ｐが搬送される搬送経路Ｒである。以下の説明における上流、下流は、搬送経路Ｒでの用紙Ｐの搬送方向における上流（図２中左側）、下流（図２中右側）を意味する。
【００３７】
図２に示すように、給紙部３は、外部給紙台１１と、外部給紙ローラ１２と、複数の内部給紙台１３と、複数対の内部給紙ローラ１４と、複数対の内部給紙搬送ローラ１５と、レジストローラ１６とを備える。
【００３８】
外部給紙台１１は、印刷に用いられる用紙Ｐが積載されるものである。外部給紙台１１は、一部がインクジェット記録装置１の筐体（図示せず）の外部に露出して設置されている。
【００３９】
外部給紙ローラ１２は、外部給紙台１１から用紙Ｐを１枚ずつ取り出し、搬送経路Ｒに沿ってレジストローラ１６へ向けて搬送する。外部給紙ローラ１２は、図示しないモータにより回転駆動される。
【００４０】
内部給紙台１３は、印刷に用いられる用紙Ｐが積載されるものである。内部給紙台１３は、インクジェット記録装置１の筐体（図示せず）の内部に配置されている。
【００４１】
内部給紙ローラ１４は、内部給紙台１３から用紙Ｐを１枚ずつ取り出して搬送経路Ｒへ送り出す。内部給紙ローラ１４は、図示しないモータにより回転駆動される。
【００４２】
内部給紙搬送ローラ１５は、内部給紙台１３から取り出された用紙Ｐをレジストローラ１６に向けて搬送する。内部給紙搬送ローラ１５は、内部給紙ローラ１４とレジストローラ１６との間の搬送経路Ｒに沿って配置されている。内部給紙搬送ローラ１５は、図示しないモータにより回転駆動される。
【００４３】
レジストローラ１６は、外部給紙ローラ１２または内部給紙搬送ローラ１５から搬送されてきた用紙Ｐを一旦止めた後、印刷部４に向けて搬送する。レジストローラ１６は、外部給紙ローラ１２及び内部給紙搬送ローラ１５の下流側に配置されている。レジストローラ１６は、図示しないモータにより回転駆動される。
【００４４】
印刷部４は、通信ネットワークＮを介して外部のユーザ端末（図示せず）等からコントローラ９に入力される印刷ジョブや、スキャナ部２による原稿画像の読み取りによって発生した印刷ジョブ等を実行し、インクジェット方式により画像を印刷するものである。
【００４５】
なお、通信ネットワークＮは、通信プロトコルＴＣＰ／ＩＰを用いて種々の通信回線（ＦＴＴＨ等の光回線、ＡＤＳＬ回線等の公衆回線、専用回線、無線通信網）を相互に接続して構築される分散型のＩＰ網である。このＩＰ網には、１０ＢＡＳＥ−Ｔや１００ＢＡＳＥ−ＴＸ等によるイントラネット（企業内ネットワーク）や家庭内ネットワーク等のＬＡＮも含まれる。
【００４６】
本実施形態の印刷部４は、Ｃ（シアン）、Ｍ（マゼンタ）、Ｙ（イエロー）、Ｋ（ブラック）の４色のインクによりフルカラー印刷を行う。印刷部４は、ベルトプラテン部４ａとインクジェットヘッド５とを備える。
【００４７】
ベルトプラテン部４ａは、内部に設置した不図示の吸引ファンを駆動して発生させた気流により、給紙部３から給紙された用紙Ｐをベルト上に吸着保持して搬送する。ベルトプラテン部４ａは、レジストローラ１６の下流側に配置されている。
【００４８】
インクジェットヘッド５は、ベルトプラテン部４ａにより搬送される用紙Ｐにインクを吐出して画像を印刷する。インクジェットヘッド５は、インクのカラー別にそれぞれ構成され、ベルトプラテン部４ａの上方に配置されている。各色のインクジェットヘッド５は、ヘッドモジュール１７を有する。
【００４９】
各ヘッドモジュール１７は、用紙Ｐの搬送方向（左右方向）に直交する主走査方向（前後方向）、即ち、用紙Ｐの幅方向に沿って延在しており、給紙部３により搬送された用紙Ｐに対向する部分に、用紙Ｐの幅に対応する複数のノズル（図示せず）を有している。各ノズルは、主走査方向（前後方向）に一定間隔で並べて配置されており、用紙Ｐに印刷する画像に応じたパターンで、各ヘッドモジュール１７に対応する色のインクを吐出する。
【００５０】
給紙読取部６は、搬送経路Ｒでの用紙Ｐの搬送方向における給紙部３のレジストローラ１６よりも下流側（図２中右側）でかつ印刷部４の上流側（図２中左側）に設置された給紙センサ、つまり、用紙検出手段であり、給紙部３が給紙する用紙Ｐの主走査方向における最大幅以上の寸法を有している。
【００５１】
この給紙読取部６は、詳細な構成の図示を省略するが、給紙部３が印刷部４に搬送する用紙Ｐの印刷面（図２におけるレジストローラ１６を通過した用紙Ｐの上面）に光をあて、その光の強弱をＣＭＯＳ撮像素子などのイメージセンサを使って検出するＣＩＳ（Contact Image Sensor）方式を用いて、給紙部３が印刷部４に給紙する用紙Ｐをレジストローラ１６の下流で検出する。
【００５２】
給紙読取部６が検出した主走査方向における寸法と用紙Ｐの通過時間とから、後述するコントローラ９が、用紙Ｐのサイズや主走査方向における端部位置を特定することができる。特定した用紙Ｐのサイズや主走査方向における端部位置は、用紙Ｐに印刷する画像に対応するインクを吐出するノズルの位置やインクの吐出タイミングを、給紙される用紙Ｐの位置に応じてコントローラ９が調整するのに用いられる。
【００５３】
なお、給紙読取部６は、給紙部３が印刷部４に給紙する用紙Ｐの画像情報を取得することができればよく、例えば、ＣＣＤ（Charge Coupled Devices）方式を用いてもよい。いずれの方式を用いるにせよ、給紙読取部６は、用紙Ｐの画像情報だけでなく、用紙Ｐの印刷面（図２におけるレジストローラ１６を通過した用紙Ｐの上面）に画像が印刷されている場合に、その印刷された画像の画像情報も取得することができる。
【００５４】
図１に示すディスプレイ７は、例えば、図３に示すインクジェット記録装置１の動作モードの選択画面や、選択した動作モードによるインクジェット記録装置１の動作状態を示す画面、コピーモードにおいてスキャナ部２にセットした原稿画像を複写印刷する際の、複写枚数や複写倍率といった複写条件をユーザが入力する入力画面等が表示される。
【００５５】
図３のモード選択画面では、「プリンター」、「コピー」、「スキャナー」の各アイコン２６〜２８をタッチ操作することで、インクジェット記録装置１の動作モードとして、ネットワークプリンタ、コピー、スキャナの各モードを選択することができる。
【００５６】
なお、ディスプレイ７はタッチパネルを有しており、ディスプレイ７は、表示した画面上のアイコン２６〜２８のタッチ操作等によりユーザが各種入力を行う操作部としても利用される。
【００５７】
図１に示すコントローラ９は、外部インターフェイス部９ａ、ＣＰＵ９ｂ、ＲＯＭ９ｃ、ＲＡＭ９ｄ及び外部記憶装置９ｅを備える。コントローラ９は、外部記憶装置９ｅを除いて、例えば、マイクロコンピュータによって構成される。
【００５８】
外部インターフェイス部９ａには、通信ネットワークＮを介して、不図示のユーザ端末等が接続される。コントローラ９は、通信ネットワークＮを介して接続されたユーザ端末からの印刷ジョブを受け取る。また、コントローラ９は、コピーモードにおいてスキャナ部２により原稿から読み取った画像の印刷ジョブを生成する。
【００５９】
ＣＰＵ９ｂには、スキャナ部２、給紙部３、印刷部４、給紙読取部６及びディスプレイ７が接続される。そして、ＣＰＵ９ｂは、ＲＯＭ９ｃに格納されているプログラム及び設定情報に基づいて、ディスプレイ７から入力設定される内容に応じたスキャナ部２や印刷部４の動作を制御する。
【００６０】
具体的には、ＣＰＵ９ｂは、不図示のユーザ端末等から受け取った印刷ジョブに基づいて印刷データを生成する。そして、受け取った印刷ジョブの印刷設定情報において指定された条件（用紙サイズ、用紙向き、複写枚数、複写倍率等）で、印刷画像の用紙Ｐへの印刷を印刷部４において実行する。
【００６１】
また、ＣＰＵ９ｂは、スキャナ部２で読み取った原稿の画像のデータからその原稿画像を用紙Ｐに複写するための印刷ジョブを生成する。そして、コピーモードにおいてディスプレイ７の入力画面から入力された設定情報において指定された条件（用紙サイズ、用紙向き、複写枚数、複写倍率等）で、原稿画像の用紙Ｐへの複写印刷を印刷部４において実行する。
【００６２】
ＲＡＭ９ｄには、不図示のユーザ端末からコントローラ９に入力された印刷ジョブや、スキャナ部２で読み取った原稿の画像からＣＰＵ９ｂが生成した印刷ジョブ、ディスプレイ７から入力された複写時の印刷枚数や各種の設定内容等が、随時記憶される。
【００６３】
また、ＲＡＭ９ｄは、フレームメモリ領域を有している。このフレームメモリ領域には、不図示のユーザ端末からの印刷ジョブやスキャナ部２で読み取った原稿画像を複写するための印刷ジョブからＣＰＵ９ｂが生成する印刷データが、印刷部４に出力されるまでの間、一時的に記憶される。
【００６４】
外部記憶装置９ｅには、上述したＲＡＭ９ｄから転送された印刷ジョブを記憶する複数の領域が設けられている。また、外部記憶装置９ｅには、各種のテーブルやカウンタ等が記憶される。
【００６５】
ところで、図３のモード選択画面でプリンタモードを選択すると、ディスプレイ７に、図４に示すプリンタメニュー画面が表示される。このプリンタメニュー画面では、プリンタモードにおいて選択可能なメニューのボタン２６ａが複数表示される。その一つに、機密文書マスクメニューがある。
【００６６】
この機密文書マスクメニューのボタン２６ａをタッチ操作し、「ＯＫ」ボタン２６ｂのタッチ操作でメニューの選択を確定させると、インクジェット記録装置１は機密文書マスクモードで動作する。機密文書マスクモードでは、インクジェット記録装置１は、機密文書の画像にマスク画像を重ね印刷し、機密文書の内容を視認できなくする。なお、メニューの選択を確定させる前に「ＣＡＮＣＥＬ」ボタン２６ｃがタッチ操作されると、ディスプレイ７が図３に示すモード選択画面に戻る。
【００６７】
ここで、機密文書マスクモードで動作するインクジェット記録装置１が機密文書に重ね印刷するマスク画像は、機密文書の印刷面全体や印刷面の画像が形成された部分を覆う黒ベタ画像とすることも考えられる。
【００６８】
しかし、例えば、レーザプリンタで印刷した機密文書の画像にインクジェット記録装置１で黒ベタのマスク画像を重ね印刷すると、それぞれの画像の印刷に用いたインクの違いから、重ね印刷したマスク画像の上からでも機密文書の画像の縁が判別できてしまうことがある。これでは、マスク画像を重ね印刷しても機密文書の内容を視認できなくすることができないし、第一、マスク画像の重ね印刷に多量のインクが消費されてしまう。
【００６９】
そこで、本実施形態のインクジェット記録装置１では、機密文書の画像に重ね印刷するマスク画像を、黒ベタではなく機密文書の画像に応じたマスクパターンとするようにしている。
【００７０】
以下、機密文書の画像に応じたパターンのマスク画像を生成する手順について、図５乃至図９を参照して説明する。なお、隠蔽のためにマスク画像を重ね印刷する対象の機密とする画像は、例えば、文字や記号等のテキスト文章、イラスト等の図形、あるいは写真といった、線画で構成される線画像である。
【００７１】
ここで説明する機密文書の線画像（機密線画像）は、図５の説明図に示すように、機密文書ＳＤの印刷面ＰＳに機密とする画像として印刷された複数行のテキストの文章Ｓである。この文書Ｓをマスク画像の重ね印刷によって隠蔽し視認できなくする場合は、機密文書ＳＤの印刷面ＰＳの画像情報を取得し、その内容を解析して、印刷面ＰＳの画像を複数の単位領域Ａに分割する。
【００７２】
例えば、図６の説明図では、文章Ｓの各行と行間とを区切ることで印刷面ＰＳの画像を複数の単位領域Ａに分割した場合を示している。このように単位領域Ａを分割するには、まず、印刷面ＰＳの画像情報における各画素の画素値から、文章Ｓのテキストを構成する画素を判別する。そして、印刷面ＰＳの縦方向及び横方向におけるテキストを構成する画素の連続性から、文章Ｓの各行の領域を特定する。これにより、印刷面ＰＳの画像を各行と行間とに区切って複数の単位領域Ａに分割することができる。
【００７３】
なお、印刷面ＰＳの縦方向及び横方向におけるテキストを構成する画素の連続性から、文章Ｓの各テキストの領域を特定することもできる。このため、印刷面ＰＳの画像を、各テキストと、文字間（印刷面ＰＳの縦方向及び横方向におけるテキスト間の隙間）や行間（印刷面ＰＳの縦方向におけるテキスト間の隙間）とに区切って、印刷面ＰＳを文字単位で複数の単位領域Ａに分割してもよい。
【００７４】
また、ポイント数（大きさ）が異なる複数のテキストが文章Ｓに用いられている場合は、文章Ｓの各行に対応する単位領域Ａの高さや、各テキストに対応する単位領域Ａの大きさが、テキストのポイント数によって異なる。したがって、各単位領域Ａの大きさや形状は、必ずしも同じでなくてもよい。
【００７５】
印刷面ＰＳの画像を複数の単位領域Ａに分割したら、次に、各単位領域Ａについて、その単位領域Ａに存在する線画像であるテキストの線幅を検出する。そのために、まず、単位領域Ａの画素の画素値からその画素の濃度を特定し、一定以上の濃度を有する画素を、テキストを構成する画素であるものとする。
【００７６】
そして、一定以上の濃度を有する画素が連続する数を、印刷面ＰＳの縦方向又は横方向、あるいは両方向についてカウントし、そのカウント数から、印刷面ＰＳの縦方向又は横方向、あるいは両方向についての線幅を、各単位領域Ａについてそれぞれ検出する。
【００７７】
例えば、図７（ａ）の説明図では、単位領域Ａに存在する「プ」というテキストの線幅を、印刷面ＰＳの横方向について検出する場合の例を示している。この例では、印刷面ＰＳの縦方向に間隔をおいた(1) 〜(3) の横方向の画素列上において、一定以上の濃度を有する画素の分布をそれぞれ求め、求めた一定以上の濃度を有する画素の(1) 〜(3) の各画素列上における連続数から、各画素列上におけるテキストの線幅をそれぞれ検出する。なお、(1) の画素列のように、１つの画素列上でテキストの線幅が２箇所以上検出される場合もある。
【００７８】
そして、図７（ｂ）の説明図に示すように、(1) 〜(3) の各画素列上においてそれぞれ検出されたテキストの線幅の分布を求め、最も分布数が多い線幅を、その単位領域Ａにおけるテキストの線幅とする。
【００７９】
なお、図５に示す文章Ｓの４〜５行目のように、明朝体のテキストとイタリック（斜体）のテキストとが同じ行に混在する単位領域Ａについても、各テキストの線幅を図７（ａ）で示した手順で検出し、図７（ｂ）で示した手順で求めた最も分布数の多い線幅を、その単位領域Ａにおける線幅とする。
【００８０】
したがって、図７（ａ）で示した手順で線幅を検出すると、明朝体のテキストの線幅は２となり、イタリック（斜体）のテキストの線幅は３となる。しかし、図７（ｂ）で示した手順で求めた最も分布数の多い線幅が２であるため、明朝体のテキストとイタリック（斜体）のテキストとが同じ行に混在する単位領域Ａのテキストの線幅は２となる。
【００８１】
このようにして、図８の説明図に示すように、テキストが存在する各単位領域Ａ毎にテキストの線幅を検出したら、テキストが存在する各単位領域Ａに重ね印刷するマスク画像のマスクパターンを、各単位領域Ａに存在するテキストについて検出した線幅に対応するパターンで生成する。
【００８２】
テキストの線幅に対応するパターンのマスク画像は、基本マスクパターンを加工して生成する。基本マスクパターンは、パターンに周期性がないことが好ましく、例えば、ランダムパターンの周波数が高いブルーノイズマスク等が好適である。図９の説明図に示す本実施形態の基本マスクパターンＢＰは、黒の線を、特定の方向に偏って濃度分布にムラが生じないように不規則に配置した、モノクロのパターンで構成される。
【００８３】
図９に示す基本マスクパターンＢＰは、基準となる線画像の隠蔽に適用するマスクパターンを有している。ちなみに、本実施形態では、基準とする線幅が１のテキストに合わせて、基本マスクパターンＢＰの白の画素と黒の画素との画素比を１：１とし、さらに、黒い線の線幅や黒い線間の白い部分のピッチを１画素としている。
【００８４】
そして、テキストが存在する各単位領域Ａのテキストの線幅に応じて基本マスクパターンＢＰを変倍したパターンを、その単位領域Ａに重ね印刷するマスク画像のマスクパターンとする。図９に示すように、例えば、テキストの線幅が２である単位領域Ａに重ね印刷するマスク画像ＭＩのマスクパターンＭＰは、基本マスクパターンＢＰを面積で２００％拡大したものとする。また、線幅が３である単位領域Ａに重ね印刷するマスク画像ＭＩのマスクパターンＭＰは、基本マスクパターンＢＰを面積で３００％拡大したものとする。
【００８５】
なお、テキストの線幅を印刷面ＰＳの横方向以外の方向（例えば縦方向）についても検出した場合は、印刷面ＰＳにおける線幅を検出した方向毎に、検出したその方向の線幅に応じた倍率で基本マスクパターンＢＰを変倍したパターンを、マスク画像ＭＩのマスクパターンＭＰとするようにしてもよい。また、線画像であるテキストが存在しない単位領域Ａに重ね印刷するマスク画像ＭＩは、マスクパターンＭＰなしの画像、即ち、実質的に画像が印刷されない空白画像とする。
【００８６】
次に、ディスプレイ７に表示された図４のプリンタメニュー画面において、機密文書マスクメニューのボタン２６ａのタッチ操作により機密文書マスクメニューを選択するとインクジェット記録装置１が行う、機密文書マスクモードの動作内容について、図１０のフローチャートを参照して説明する。
【００８７】
機密文書マスクモードでインクジェット記録装置１を動作させる際には、マスク画像ＭＩを重ね印刷する機密文書ＳＤを、図２に示す外部給紙台１１と内部給紙台１３とのいずれかにセットする。このとき、機密文書ＳＤの印刷面ＰＳが図２中上向きで印刷部４に給紙されるように、外部給紙台１１には印刷面ＰＳを上向きにして、内部給紙台１３には印刷面ＰＳを下向きにして、機密文書ＳＤをそれぞれセットする。特に、機密文書ＳＤの枚数が大量である場合は、積載量が大きい外部給紙台１１を利用するのが有利である。
【００８８】
そして、図１０に示すように、コントローラ９は、図１のディスプレイ７に表示される機密文書マスクメニューの設定画面（図示せず）において、機密文書ＳＤの給紙元とする給紙台（外部給紙台１１又は内部給紙台１３）の入力を受け付け（ステップＳ１）、受け付けた給紙台から給紙部３により機密文書ＳＤを印刷部４に１枚ずつ給紙させる（ステップＳ３）。
【００８９】
次に、コントローラ９は、機密文書ＳＤが給紙読取部６を通過する度に、給紙読取部６に対向する機密文書ＳＤの印刷面ＰＳに印刷されている、図５の説明図に示す複数行のテキストの文章Ｓの画像情報を、給紙読取部６によって取得する（ステップＳ５）。
【００９０】
そして、コントローラ９は、取得した文章Ｓの画像情報から、文章Ｓのテキストが存在する印刷面ＰＳの各単位領域Ａに重ね印刷するマスク画像ＭＩのデータを生成する（ステップＳ７）。さらに、コントローラ９は、生成したデータを用いて、機密文書ＳＤが印刷部４のインクジェットヘッド５を通過する際に、印刷面ＰＳの対応する単位領域Ａにマスク画像ＭＩを重ね印刷し、排紙する（ステップＳ９）。
【００９１】
なお、給紙元の給紙台（外部給紙台１１又は内部給紙台１３）の機密文書ＳＤがなくなると（ステップＳ１１でＹＥＳ）、コントローラ９は、機密文書マスクモードの動作を終了する。
【００９２】
そして、上述したステップＳ７においてマスク画像ＭＩを生成する際に、コントローラ９は、図１１のフローチャートに示すように、印刷面ＰＳの画像を複数の単位領域Ａに分割し（ステップＳ７１）、各単位領域Ａについて、その単位領域Ａに存在する線画像であるテキストの線幅をそれぞれ検出する（ステップＳ７３）。
【００９３】
次に、コントローラ９は、図９に示す基本マスクパターンＢＰを各単位領域Ａ毎に検出したテキストの線幅に対応する倍率で拡大して、各単位領域Ａに重ね印刷するマスク画像ＭＩのマスクパターンＭＰをそれぞれ生成する（ステップＳ７５）。なお、テキストが存在しない単位領域Ａのマスク画像ＭＩは、マスクパターンなしとする。
【００９４】
さらに、コントローラ９は、各単位領域Ａ毎に生成したマスクパターンＭＰを対応する単位領域Ａに存在するテキストに重ね印刷するマスク画像ＭＩの画像データを生成し（ステップＳ７７）、マスク画像生成処理を終了する。
【００９５】
以上の手順による機密文書マスクモードの動作をインクジェット記録装置１が行うと、図１２の説明図に示すように、線幅８の１行目の単位領域Ａには、線幅８用のマスク画像ＭＩ８（図９の基本マスクパターンＢＰを面積で８００％拡大したマスクパターンのマスク画像）が重ね印刷される。また、線幅２の２行目以降の単位領域Ａには、線幅２用のマスク画像ＭＩ２（図９の基本マスクパターンＢＰを面積で２００％拡大したマスクパターンのマスク画像）が重ね印刷される。
【００９６】
これにより、各行の文章Ｓのテキストの線が、マスク画像ＭＩ８，ＭＩ２を構成する線と区別しにくくなるので、機密文書ＳＤの内容を隠蔽し視認できなくすることができる。
【００９７】
なお、先に説明したように、印刷面ＰＳを文字単位で複数の単位領域Ａに分割して、明朝体のテキストとイタリック（斜体）のテキストとが同じ行に混在する単位領域Ａについては、明朝体のテキスト部分の単位領域Ａとイタリック（斜体）のテキスト部分の単位領域Ａとで線幅を別々に検出するようにしてもよい。
【００９８】
この場合、図７（ａ），（ｂ）で示した手順で各単位領域Ａのテキストの線幅を検出すると、図１３の説明図に示すように、イタリック（斜体）のテキストが存在する単位領域Ａの線幅は、明朝体のテキストの線幅（線幅２）よりも太い線幅３となる。
【００９９】
そこで、線幅３の単位領域Ａには、図１４の説明図に示すように、線幅３用のマスク画像ＭＩ３（図９の基本マスクパターンＢＰを面積で３００％拡大したマスクパターンのマスク画像）を重ね印刷する。
【０１００】
これにより、図１２に示すように、明朝体のテキストとイタリック（斜体）のテキストとが混在する単位領域Ａに、線幅２用のマスク画像ＭＩ２を一律に重ね印刷するのに比べて、イタリック（斜体）のテキストの線をマスク画像ＭＩ３を構成する線との区別をより一層困難にして、機密文書ＳＤの内容をより確実に隠蔽し視認できなくすることができる。
【０１０１】
また、機密文書ＳＤは、モノクロの印刷物である場合もあるが、カラーの印刷物である場合もある。例えば、図１２に一点鎖線の枠で囲んで注釈を記載したように、機密文書ＳＤにおける文章Ｓの枠で囲んだ４〜５行目に存在するイタリック（斜体）のテキストが赤色のインクで印刷され、残る他の明朝体のテキストが黒色のインクで印刷されているものとする。
【０１０２】
ここで、マスク画像ＭＩ８，ＭＩ２の重ね印刷がモノクロ印刷によって行われると、単位領域Ａが行単位で分割されている場合、黒色の明朝体のテキストと赤色のイタリック（斜体）のテキストとが同じ行に混在する４〜５行目の単位領域Ａに、その単位領域Ａにおけるテキストの線幅２に対応するマスク画像ＭＩ２が黒色のインクで重ね印刷される。
【０１０３】
すると、図１２の枠で囲んだ赤色のイタリック（斜体）のテキストの線の色が、マスク画像ＭＩ２の黒色と異なることから、マスク画像ＭＩ２を構成する線と区別できてしまい、イタリック（斜体）のテキストについてはマスク画像ＭＩ２の重ね印刷後も隠蔽されず、内容が視認できてしまう可能性がある。
【０１０４】
そこで、印刷面ＰＳを文字単位で複数の単位領域Ａに分割し、各単位領域Ａのテキストの画像色を判別して、図１３に一点鎖線の枠で囲んで注釈を記載したように、印刷面ＰＳをテキストの画像色別の領域に区分する。そして、図１４に示す、赤色のイタリック（斜体）のテキストが存在する線幅３の単位領域Ａに重ね印刷する線幅３用のマスク画像ＭＩ３を、赤色のインクで印刷する。
【０１０５】
この場合は、図１１のフローチャートのステップＳ７３において、各単位領域Ａ毎のテキストの線幅の検出と共に、各単位領域Ａ毎のテキストの画像色の判別を行う。さらに、図１１のフローチャートのステップＳ７５において、各マスク画像ＭＩ８，ＭＩ２，ＭＩ３のマスクパターンＭＰと共に、印刷に用いるインクの色（各マスク画像ＭＩ８，ＭＩ２，ＭＩ３の色）を、対応する単位領域Ａのテキストの画像色に基づいて決定する。
【０１０６】
これにより、機密文書ＳＤの文章Ｓに、黒色の明朝体のテキストと赤色のイタリック（斜体）のテキストとが混在する行がある場合、図１４に示すように、黒色の明朝体のテキストに対応する単位領域Ａに重ね印刷されるマスク画像ＭＩ２は、テキストと同じ黒色となり、赤色のイタリック（斜体）のテキストに対応する単位領域Ａに重ね印刷されるマスク画像ＭＩ３は、イタリック（斜体）のテキストと同じ赤色となる。
【０１０７】
このため、黒色の明朝体のテキストと赤色のイタリック（斜体）のテキストとが混在する行の全体を一つの単位領域Ａとして、赤色のイタリック（斜体）のテキストにそれとは色が異なる黒色のマスク画像ＭＩ２を一律に重ね印刷するのに比べて、イタリック（斜体）のテキストの線を、イタリック（斜体）のテキストと同じ色で印刷されたマスク画像ＭＩ３を構成する線と区別しにくくなる。よって、機密文書ＳＤの内容をより確実に隠蔽し視認できなくすることができる。
【０１０８】
なお、図１４に示す例では、行方向（図１４中の左右方向）において隣り合う２つのテキストに対応する２つの単位領域Ａが、隙間なく隣り合っている場合を示している。但し、印刷面ＰＳを文字単位で複数の単位領域Ａに分割する際に、行方向において隣り合う２つのテキストに対応する２つの単位領域Ａの間に、テキスト間の字間を構成する余白に対応する単位領域Ａがさらに配置されるように、印刷面ＰＳをさらに細かく分割してもよい。
【０１０９】
また、図１４に示す例では、明朝体のテキストが存在する単位領域Ａに、明朝体のテキストと同じ黒色のインクでマスク画像ＭＩ８，ＭＩ２を印刷し、イタリック（斜体）のテキストが存在する単位領域Ａに、イタリック（斜体）のテキストと同じ赤色のインクでマスク画像ＭＩ３を印刷した。
【０１１０】
しかし、各テキストと同じ色でなくても、色相や明度、彩度が似通った同系色で、明朝体のテキストが存在する単位領域Ａやイタリック（斜体）のテキストが存在する単位領域Ａにマスク画像ＭＩ８，ＭＩ２やマスク画像ＭＩ３をそれぞれ重ね印刷するようにしてもよい。
【０１１１】
なお、ある色に対する同系色とする色相や明度、彩度の範囲は、隠蔽対象のテキストにマスク画像ＭＩを重ね印刷する実験の結果を通じて予め決定しておくことができる。即ち、ある色に対する同系色とは、ある色のテキストにマスク画像ＭＩを重ね印刷した場合にテキストを隠蔽することができる色でなければならない。そこで、ある色に対して色相や明度、彩度をそれぞれ変えながら、ある色のテキストに対するマスク画像ＭＩの重ね印刷を繰り返し、テキストが隠蔽できる色相や明度、彩度の範囲を実験的に求めておく。
【０１１２】
このようにして決定した色相や明度、彩度の範囲は、隠蔽対象のテキストのインク色に対応する同系色の範囲として定義する。なお、同系色の範囲とした色相や明度、彩度の範囲を、隠蔽対象のテキストのインク色に対応する同系色として、隠蔽対象のテキストのインク色に関係付けたテーブルを、例えばコントローラ９の外部記憶装置９ｅに記憶させておき、マスク画像ＭＩのデータを生成する際に参照すると便利である。
【０１１３】
ここで、ある色に対する同系色の範囲は、少なくとも色相について定義されていればよく、同系色とする範囲が明度や彩度については定義されていなくてもよい。
【０１１４】
また、上述した実施形態では、機密文書ＳＤの印刷面ＰＳを複数の単位領域Ａに分割し、各単位領域Ａ毎にテキストの線幅を検出したりテキストの画像色を判別して、それらに対応するパターンや色のマスクパターンＭＰを単位領域Ａ毎に決定するものとした。
【０１１５】
しかし、機密文書ＳＤの印刷面ＰＳの全体を一つの領域として、印刷面ＰＳに存在するテキストの線幅を検出したりテキストの画像色（単一色に限る）を判別し、検出したテキストの線幅や判別したテキストの画像色に対応する単一のパターンや単一色のマスクパターンＭＰを、機密文書ＳＤの印刷面ＰＳの全体に対して決定するようにしてもよい。
【０１１６】
その場合は、図１１のフローチャートのステップＳ７１を省略し、ステップＳ７３におけるテキストの線幅検出や画像色判別を、コントローラ９が、機密文書ＳＤの印刷面ＰＳの全体に対して画一的に行うようにすればよい。
【０１１７】
そして、コントローラ９は、図１１のフローチャートのステップＳ７５において、図９に示す基本マスクパターンＢＰを、機密文書ＳＤの印刷面ＰＳの全体に対して検出したテキストの線幅に対応する倍率で拡大して、印刷面ＰＳの全体に重ね印刷するマスク画像ＭＩのマスクパターンＭＰを決定すればよい。
【０１１８】
また、コントローラ９は、図１１のフローチャートのステップＳ７７において、印刷面ＰＳの全体に対して決定した単一のマスクパターンＭＰを印刷面ＰＳに存在する文章Ｓの各テキストに重ね印刷する単一色のマスク画像ＭＩの画像データを生成すればよい。
【０１１９】
なお、図１１のステップＳ７３における、機密文書ＳＤの印刷面ＰＳの全体に対する線幅の検出は、例えば、次のようにして行うことができる。まず、図７（ａ）を参照して説明した手順で印刷面ＰＳの各テキストの線幅検出を行う。次に、検出した各テキストの線幅の分布を、印刷面ＰＳの全体について、図７（ｂ）を参照して説明した手順で検出する。そして、印刷面ＰＳの全体において最も分布数の多い線幅を、その印刷面ＰＳの全体に対する線幅とする。
【０１２０】
また、図１１のステップＳ７３において、機密文書ＳＤの印刷面ＰＳの全体に対するテキストの画像色（文章Ｓの画像色）を検出する際には、例えば、濃度が最も高い色を、その印刷面ＰＳの全体に対するテキストの画像色とするようにしてもよい。
【０１２１】
さらに、例えば図１のディスプレイ７に表示される不図示の機密文書マスクメニューの設定画面における入力等によって、印刷面ＰＳの全体に対するテキストの画像色（文章Ｓの画像色）をコントローラ９が予め認識している場合は、図１１のフローチャートのステップＳ７３におけるテキストの画像色判別を省略してもよい。
【０１２２】
その場合、コントローラ９は、図１１のフローチャートのステップＳ７７において、印刷面ＰＳの全体に対して決定した単一のマスクパターンＭＰを印刷面ＰＳに存在する文章Ｓの各テキストに重ね印刷するための、文章Ｓの画像色と同一又は同系列の単一色のマスク画像ＭＩの画像データを生成すればよい。
【０１２３】
さらに、上述した実施形態では、インクジェットヘッド５を構成する複数のヘッドモジュール１７を、インクジェットヘッドが記録媒体の搬送方向（左右方向）に直交する主走査方向（前後方向）に沿って千鳥状に配置した、いわゆるライン型のインクジェット記録装置１を例に取って説明した。しかし、本発明は、主走査方向においてインクジェットヘッドがキャリッジ上で往復するシリアル式のインクジェット記録装置にも適用可能である。
【０１２４】
また、本発明は、インクジェット方式の画像形成装置に限らず、例えば電子写真方式等他の方式の画像形成装置にも適用可能である。
【０１２５】
さらに、上述した実施形態では、給紙部３により印刷部４に搬送される機密文書ＳＤの印刷面ＰＳに印刷された文章Ｓの画像情報を取得する給紙読取部６として、給紙部３により印刷部４に搬送される用紙Ｐのサイズや主走査方向における端部位置を特定するためにレジストローラ１６よりも下流に設置した給紙センサを用いた。
【０１２６】
しかし、給紙部３により印刷部４に搬送される機密文書ＳＤの印刷面ＰＳに印刷された文章Ｓの画像情報を取得する給紙読取部６を、用紙Ｐのサイズや主走査方向における端部位置を特定する給紙センサとは別に設けてもよい。
【０１２７】
また、上述した実施形態では、画像形成装置内にマスク画像のデータを生成する画像データ生成装置を内蔵させる場合について説明したが、画像データ生成装置を画像形成装置とは別に独立して構成してもよい。
【符号の説明】
【０１２８】
１  インクジェット記録装置
２  スキャナ部
３  給紙部
４  印刷部
４ａ  ベルトプラテン部
５  インクジェットヘッド
６  給紙読取部
７  ディスプレイ
９  コントローラ
９ａ  外部インターフェイス部
９ｂ  ＣＰＵ
９ｃ  ＲＯＭ
９ｄ  ＲＡＭ
９ｅ  外部記憶装置
１１  外部給紙台
１２  外部給紙ローラ
１３  内部給紙台
１４  内部給紙ローラ
１５  内部給紙搬送ローラ
１６  レジストローラ
１７  ヘッドモジュール
２６  「プリンター」アイコン
２６ａ  「機密文書マスクメニュー」ボタン
２６ｂ  「ＯＫ」ボタン
２６ｃ  「ＣＡＮＣＥＬ」ボタン
２７  「コピー」アイコン
２８  「スキャナー」アイコン
Ａ  単位領域
ＢＰ  基本パターン
ＭＩ，ＭＩ２，ＭＩ３，ＭＩ８  マスク画像
ＭＰ  マスクパターン
Ｎ  通信ネットワーク
Ｐ  用紙
ＰＳ  印刷面
Ｒ  搬送経路
Ｓ  文章
ＳＤ  機密文書
【図１】
2017183781.tif 000003
【図２】
2017183781.tif 000004
【図３】
2017183781.tif 000005
【図４】
2017183781.tif 000006
【図５】
2017183781.tif 000007
【図６】
2017183781.tif 000008
【図７】
2017183781.tif 000009
【図８】
2017183781.tif 000010
【図９】
2017183781.tif 000011
【図１０】
2017183781.tif 000012
【図１１】
2017183781.tif 000013
【図１２】
2017183781.tif 000014
【図１３】
2017183781.tif 000015
【図１４】
2017183781.tif 000016